(57)【要約】【課題】画像形成装置に周辺装置を接続して画像形成システムを構築する際の設置作業を容易にする。【解決手段】周辺装置を接続可能な画像形成装置であって、用紙に画像を形成する画像形成部１５と、該画像形成装置１０または前記周辺装置（第１給紙装置２０、第２給紙装置３０、中継ユニット４０、第１後処理装置５０、第２後処理装置６０）に対し設置位置の変更が可能な操作部１６と、操作部１６に装着された傾斜センサ１８と、操作部１６が装置に設置された際に傾斜センサ１８の出力を受けて、操作部１６が設置された装置の傾斜度を判定する制御部（画像制御部１１）を備えることで、操作部１６の設置位置の自由度を生かし、画像形成装置１０だけでなく接続する周辺装置の傾斜状態を検知し周辺装置の設置調整作業をアシストする。【選択図】図１
2012145724.tif 000002
【特許請求の範囲】
【請求項１】
周辺装置を接続可能な画像形成装置であって、
用紙に画像を形成する画像形成部と、
当該画像形成装置及び前記周辺装置に対して設置位置の変更が可能な操作部と、
該操作部に装着されて当該操作部の傾斜を検知する傾斜センサと、
前記操作部が前記装置に設置された際に前記傾斜センサからの出力を受けて、前記操作部が設置された前記装置の傾斜度を判定する制御部と、を備えることを特徴とする画像形成装置。
【請求項２】
周辺装置を接続可能な画像形成装置であって、
用紙に画像を形成する画像形成部と、
当該画像形成装置及び前記周辺装置に対して設置位置の変更が可能で、傾斜を検知する傾斜センサの着脱が可能な操作部と、
前記操作部が前記装置に設置された際に前記傾斜センサからの出力を受けて、前記操作部が設置された前記装置の傾斜度を判定する制御部と、を備えることを特徴とする画像形成装置。
【請求項３】
前記制御部は、前記操作部の設置情報を取得し、該設置情報に基づいて傾斜度を判定することを特徴とする請求項１または２に記載の画像形成装置。
【請求項４】
当該画像形成装置および該画像形成装置に接続される周辺装置のいずれか１以上は、装置の傾斜・高さを調整する調整機構を備えることを特徴とする請求項１〜３のいずれか１項に記載の画像形成装置。
【請求項５】
前記制御部は、判定した前記傾斜度を前記操作部に表示する制御を行うことを特徴とする請求項１〜４のいずれか１項に記載の画像形成装置。
【請求項６】
前記制御部は、判定した前記傾斜度に基づいて、傾斜判定がなされた装置の傾斜調整内容を前記操作部に表示する制御を行うことを特徴とする請求項１〜５のいずれか１項に記載の画像形成装置。
【請求項７】
前記制御部は、傾斜調整を行う際に、前記操作部に各装置の高さ基準位置の指定を表示する制御を行うことを特徴とする請求項６に記載の画像形成装置。
【請求項８】
当該画像形成装置および該画像形成装置に接続される周辺装置は、前記傾斜センサによって傾斜度を測定する際の、前記操作部が設置される基準設置位置が設定されていることを特徴とする請求項１〜７のいずれか１項に記載の画像形成装置。
【請求項９】
請求項１〜８のいずれかの画像形成装置と、該画像形成装置に接続される周辺装置とを備え、前記画像形成装置および前記周辺装置は、前記操作部の設置が可能になっていることを特徴とする画像形成システム。
【請求項１０】
前記操作部は、無線または有線によって前記画像形成装置に接続されており、
前記制御部は、該操作部の設置情報を前記操作部による入力によって取得することを特徴とする請求項９に記載の画像形成システム。
【請求項１１】
前記操作部の設置を検知する検知部を有しており、
前記制御部は、前記検知部による検知結果を受信して前記操作部の設置情報を取得することを特徴とする請求項９または１０に記載の画像形成システム。
【請求項１２】
前記制御部は、前記操作部と該操作部が設置された装置との通信結果に基づいて前記設置情報を取得することを特徴とする請求項１１記載の画像形成システム。
【発明の詳細な説明】
【技術分野】
【０００１】
この発明は、周辺装置の接続が可能とされた画像形成装置および画像形成装置と周辺装置が接続された画像形成システムに関するものである。
【背景技術】
【０００２】
近年、特にＰＰ（プロダクションプリント）領域では、大容量給紙装置や後処理装置などの周辺装置と画像形成装置を接続可能にすることで、多様なシステム構築を可能とする一方、高機能化かつ高性能化にともなって各種装置の大型化が進んでいる。このため、システム設置時に各種周辺装置を接続する際の位置調整が難しく、設置作業（特に傾き調整）の難易度が高い。周辺装置は複数機種で振替使用可能であり、ユーザーが自分で組み替えるケースもあるため、設置作業の容易化に対するニーズは大きい。従来、周辺装置の接続時の位置調整としては、装置４隅の高さ調整機構のメカ的な手段は設けられているが電気的なサポート機能は十分ではない。
図６は、画像形成システム１の一例を示すものであり、画像形成装置１０の右側に順次第１給紙装置２０、第２給紙装置３０が設置され、画像形成装置１０の左側に中継ユニット４０、第１後処理装置５０、第２後処理装置６０が接続されている。この画像形成システム１のように、画像形成装置１０の何倍もの規模で周辺装置が接続されると、それぞれの装置の傾斜を水準器などで測定するなどしつつ設置作業および調整作業を行うことになり、作業に手間がかかるとともに設置作業者の熟練が必要になる。
【０００３】
なお、画像形成装置の設置作業をスムーズに行えるように、装置本体に傾斜センサを設け、該装置本体の傾斜状態を検知し表示する画像形成装置が提案されている（特許文献１参照）。該装置によれば、傾斜センサが検出した傾斜状態が表示部に表示されるため、画像形成装置の設置作業者は表示部が表示する傾斜状態に応じて傾斜調節部材を調節することができ、画像形成装置を傾斜の少ない状態で容易に設置することができる、とされている。
【先行技術文献】
【特許文献】
【０００４】
【特許文献１】特開２００７−３３３８８４号公報
【発明の概要】
【発明が解決しようとする課題】
【０００５】
上記で提案されている画像形成装置では、上記のように傾斜センサの検知結果を利用することで画像形成装置の傾斜を容易に調整することが可能である。しかし、画像形成装置に接続される周辺装置では、上記画像形成装置によって設置作業を容易にする効果は得られない。このため、各周辺装置の設置作業を容易にするためにはそれぞれの装置に傾斜センサを設けることが必要になる。これによって各周辺装置を傾斜の少ない状態で容易に設置することが可能になる。
しかし、このような方法では、各周辺装置にそれぞれ傾斜センサを設ける必要があり、部品点数が増大して装置コストが上昇する。また、各傾斜センサから画像形成装置の表示部に検知結果を送信することが必要になり、それぞれ信号ラインが必要になるとともに、各装置を稼働させた状態にして信号の送受信を行う必要があり、設置作業を容易に行うことが難しいという問題がある。
【０００６】
本発明は、上記事情を背景としてなされたものであり、簡易な構成によって画像形成装置およびこれに接続する周辺装置の傾斜を検知して設置作業を容易にする、画像形成装置および画像形成システムを提供することを目的とする。
【課題を解決するための手段】
【０００７】
すなわち、本発明の画像形成装置は、
周辺装置を接続可能な画像形成装置であって、
用紙に画像を形成する画像形成部と、
当該画像形成装置及び前記周辺装置に対して設置位置の変更が可能な操作部と、
該操作部に装着されて当該操作部の傾斜を検知する傾斜センサと、
前記操作部が前記装置に設置された際に前記傾斜センサからの出力を受けて、前記操作部が設置された前記装置の傾斜度を判定する制御部と、を備えることを特徴とする。
【０００８】
また、他の形態の本発明の画像形成装置は、
周辺装置を接続可能な画像形成装置であって、
用紙に画像を形成する画像形成部と、
当該画像形成装置及び前記周辺装置に対して設置位置の変更が可能で、傾斜を検知する傾斜センサの着脱が可能な操作部と、
前記操作部が前記装置に設置された際に前記傾斜センサからの出力を受けて、前記操作部が設置された前記装置の傾斜度を判定する制御部と、を備えることを特徴とする。
【０００９】
本発明の画像形成システムは、本発明の画像形成装置と、該画像形成装置に接続される周辺装置とを備え、前記画像形成装置および周辺装置は、前記操作部の設置が可能になっていることを特徴とする。
【００１０】
本発明によれば、操作部に装着されている傾斜センサで、画像形成装置または周辺装置に操作部が設置された状態で操作部が設置された装置の傾斜が検知される。傾斜の検知機構は本発明としては特に限定されるものではなく、検知結果を信号として出力できるものであればよい。例えば静電容量式加速度センサやピエゾ抵抗式加速度センサ、ボール接点方式センサなどの既知のものを用いることができる。
【００１１】
制御部は、上記傾斜センサの検出結果を受けて、操作部が設置されている装置の傾斜の度合いを判定する。傾斜の度合いは、定量的に表されるものであってもよく、また、定性的に表されるものであってよい。該判定による傾斜の度合いは、前記操作部に表示して操作者が視認できるようにしてもよく、また、ネットワークなどを利用した通信によって外部機器などに通知するようにしてもよい。これらの動作は、制御部の制御によって実行される。なお、制御部は、操作部や外部機器などに、上記傾斜度合いの判定結果を表示するとともに、傾斜の傾斜調整内容を表示するように制御を行うようにしてもよい。これにより操作者は、調整作業を容易に行うことができる。傾斜調整内容は、どの傾斜・高さ調整機構を対象とするか、また、調整量をどの程度にするか等とすることができる。
【００１２】
上記傾斜度合いの判定では、望ましくは、操作部の設置情報に基づいて行う。
取得された設置情報は制御部において、傾斜度合いの判定に利用される。設置情報は少なくとも設置装置の識別が含まれる。また、設置情報には、必要に応じて設置位置の情報が含まれる。設置位置の情報としては、設置位置や設置位置における傾斜情報が例示される。設置位置には後述する基準設置位置を含む。
上記設置情報は、前記操作部における操作者の入力に基づくものであってもよく、上記設置を検知するセンサの検知結果に基づくもの、装置間や装置と操作部間での通信に基づくものであってもよい。また、設置情報は、操作部が設置された設置装置の識別と、制御部で予め記憶された設置装置に対応する設置位置の傾斜情報とによって取得されるものであってもよい。
【００１３】
上記の画像形成装置および該画像形成装置に接続される周辺装置は、装置の傾斜・高さを調整する調整機構をそれぞれ備えるものが望ましい。ただし、本発明としては画像形成装置および周辺装置の全てで傾斜・高さ調整機構を備えることが必要とされるものではなく、複数ある周辺装置のうち、傾斜・高さ調整機構を備えないものを含むものであってもよい。
本発明としては傾斜・高さ調整機構の構成は特に限定されるものではなく、既知の構成を採用することができる。傾斜調整は、前後のみ、左右のみの調整でもよく、前後左右のそれぞれなどで調整できるものであってもよい。さらに傾斜調整と高さ調整とは独立して行うことができるものであってもよく、また、傾斜の調整に伴って高さが調整されるものであってもよい。
なお、傾斜の調整に際しては、隣接する装置間で互いの高さが適正な関係にあることが望ましい。このため上記傾斜調整内容を表示する際に、高さを合わせるための高さ基準位置を指定して操作部や外部機器などに表示するようにしてもよい。高さ基準位置は、装置に設けた目印や、特定部位を対象にすることができる。
【００１４】
なお、画像形成装置や周辺装置では、操作部の設置位置によっては設置面の傾斜が異なる場合があり、設置位置を設置情報に含むことが必要になる場合がある。このため、画像形成装置や周辺装置では、傾斜度を測定する際の、操作部設置の基準設置位置を設定しておくのが望ましい。基準設置位置は、各装置で複数設定されているものであってもよい。制御部では、設置位置の設置面と操作部が設置されている装置の水平面とが異なる場合、前記設置面に関する傾斜情報を考慮して前記装置の傾斜度合いの判定を行う。基準設置位置の傾斜情報は、予め把握されており、制御部の記憶部において情報を保持しておくことができる。基準設置位置に対応する傾斜情報を制御部に保持する場合、操作部が設置された装置が認識されることによって当該情報を読み出すことができる。１つの装置で基準設置位置を複数有する場合、基準設置位置を認識することで保持されている傾斜情報を読み出すことができる。基準設置位置の認識は、操作部を通して操作者が入力するものであってもよく、また、上記設置を検知するセンサの検知結果に基づくものや、装置と操作部間での通信に基づくものであってもよい。
【発明の効果】
【００１５】
以上説明したように、本願発明によれば、操作部に装着した傾斜センサを用いて、操作部の設置位置の自由度を生かし、画像形成装置だけでなく接続する周辺装置の傾斜状態を検知し周辺装置の設置調整作業をアシストすることが可能である。
【図面の簡単な説明】
【００１６】
【図１】本発明の一実施形態の画像形成装置と周辺装置との連接からなる画像形成システムを示す概略図である。
【図２】同じく、制御ブロック図である。
【図３】同じく、操作部の設置箇所を示す拡大図である。
【図４】同じく、周辺装置接続時の傾斜調整の手順を示すフローチャートである。
【図５】同じく、表示部における調整内容の表示画面を示す図である。
【図６】画像形成システムの接続例を示す概略図である。
【発明を実施するための形態】
【００１７】
以下に、本発明の一実施形態を添付図面に基づいて説明する。
図１は、本発明の画像形成装置１０および該画像形成装置１０に周辺装置として第１給紙装置２０、第２給紙装置３０、中継ユニット４０、折り、パンチの後処理を行う第１後処理装置５０、裁断、糊付けの後処理を行う第２後処理装置６０が接続された画像形成システム１の概略を示すものである。
【００１８】
第１給紙装置２０、第２給紙装置３０は、複数の給紙トレイ２１〜２３、３１〜３３を備えており、該トレイ内に用紙が収納される。該第１給紙装置２０、第２給紙装置３０は、画像形成装置１０に備える画像制御部１１による指令を受けて、いずれかの給紙トレイ２１〜２３、３１〜３３から必要な用紙を画像形成装置１０に給紙することができる。
また、第１給紙装置２０、第２給紙装置３０は、それぞれ底面４隅に上下調整可能なキャスタ２４、３４を備えており、各キャスタ２４、３４はそれぞれの上下調整によって第１給紙装置２０または第２給紙装置３０の傾斜および高さの調整が可能になっている。したがって、この実施形態では、キャスタ２４、３４は、本発明の傾斜・高さ調整機構に相当する。
【００１９】
画像形成装置１０は、上記のように画像形成装置１０全体および上記周辺装置を制御する画像制御部１１を備えており、該画像制御部１１は、本発明の制御部に相当する。画像制御部１１は、ＣＰＵとこれを動作させるプログラムとを主構成としている。
画像形成装置１０は、装置内部に用紙を収納して給紙可能な給紙トレイ１２、１３を備えている。また、画像形成装置１０では、画像データに基づいて画像を形成し、給紙される用紙に画像を転写する画像形成部１５を備えている。
【００２０】
画像形成部１５は、図示しない像担持体、帯電部、露光部、現像部、転写部、クリーニング部等を備え、画像を形成して用紙に該画像を転写する。
具体的には、帯電部により帯電された像担持体に、露光部から画像データに応じた光を照射して静電潜像を形成する。そして、現像部は、静電潜像が形成された像担持体の表面に帯電したトナーを付着させて静電潜像を現像する。現像部によりトナーが付着された像担持体は転写部が配置された転写位置で用紙にトナー画像を転写する。像担持体は、トナー像の転写後、クリーニング部によって表面の残留電荷や残留トナー等が除去される。
【００２１】
また、画像形成装置１０には、表示部１６ａを有する操作部１６を有している。該操作部１６はＬＣＤを用いたタッチパネルによって構成されており、表示部１６ａが操作部１６に一体になっている。該操作部１６は、操作部ケーブル１７を介して画像形成部１０の画像制御部１１に電気的に接続されている。該操作部ケーブル１７は、操作部１６を自立して他の周辺装置に設置することを可能にする長さを有している。操作部１６は、操作者による操作入力が可能であり、また、必要な情報を文字、イメージなどによって表示することができる。なお、操作部１６では、上記のように操作と表示とを一体にした構成としてもよく、また操作と表示とを個別の構成で行うようにするものであってもよい。
【００２２】
さらに、操作部１６には、傾斜センサ１８が装着されており、傾斜センサ１８は、画像制御部１１に電気的に接続されており、測定結果を画像制御部１１に出力する。傾斜センサ１８の構成は特に限定されるものではなく、操作部１６の傾斜を検知して、測定結果を信号として出力できるものであればよく、既知のものを用いることができる。
傾斜センサ１８と画像制御部１１とは、前記した操作部ケーブル１７を介して電気的に接続するのが望ましい。これにより格別なケーブルなどを必要とすることなく傾斜センサ１８と画像制御部１１とを接続することができる。なお、傾斜センサ１８は、操作部１６に対し脱着可能なものであってもよい。これにより画像形成装置１０や周辺装置の設置などの必要時にのみ傾斜センサを用意すればよく、システム個々に傾斜センサを用意する必要がなくなる。
【００２３】
また、画像形成装置１０は底面４隅に上下調整可能なキャスタ１４を備えており、キャスタ１４はそれぞれの上下調整によって画像形成装置１０の傾斜および高さの調整が可能になっている。したがって、この実施形態では、キャスタ１４は、本発明の傾斜・高さ調整機構に相当する。
【００２４】
中継ユニット４０は、画像形成装置１０で排紙された用紙を後段の第１後処理装置５０に搬送するものであり、前段の画像形成装置１０から出力された用紙を、後段の第１後処理装置５０へ規定の排紙速度で出力することを可能にする。これにより用紙の搬送速度が異なる画像形成装置１０と第１後処理装置５０間で画像形成を行いつつ後処理を行うことができる。中継ユニット４０は、画像形成装置１０に通信可能に接続され、画像制御部１１の制御を受ける。
また、中継ユニット４０は底面４隅に上下調整可能なキャスタ４４を備えており、キャスタ４４はそれぞれの上下調整によって中継ユニット４０の傾斜および高さの調整が可能になっている。したがって、この実施形態では、キャスタ４４は、本発明の傾斜・高さ調整機構に相当する。
【００２５】
第１後処理装置５０は、画像形成装置１０で画像形成された用紙の折り処理、パンチ処理からなる後処理を行うものであり、中継ユニット４０を介して画像形成装置１０と通信可能に接続され、画像制御部１１の制御を受ける。
第１後処理装置５０で上記後処理がなされた用紙は、第２後処理装置６０に排紙される。
また、第１後処理装置５０は底面４隅に上下調整可能なキャスタ５４を備えており、キャスタ５４はそれぞれの上下調整によって第１後処理装置５０の傾斜および高さの調整が可能になっている。したがって、この実施形態では、キャスタ５４は、本発明の傾斜・高さ調整機構に相当する。
【００２６】
第２後処理装置６０は、画像形成装置１０で画像形成された用紙の裁断処理、糊付け処理からなる後処理を行うものであり、中継ユニット４０、第１後処理装置５０を介して画像形成装置１０と通信可能に接続され、画像制御部１１の制御を受ける。
第２後処理装置６０で上記後処理がなされた用紙は、第２後処理装置６０から排紙部６１に排紙される。
また、第２後処理装置６０は底面４隅に上下調整可能なキャスタ６４を備えており、キャスタ６４はそれぞれの上下調整によって第２後処理装置６０の傾斜および高さの調整が可能になっている。したがって、この実施形態では、キャスタ６４は、本発明の傾斜・高さ調整機構に相当する。
なお、ここでいう周辺装置とは、上記第１給紙装置２０、第２給紙装置３０、中継ユニット４０、第１後処理装置５０、第２後処理装置６０に限定されるものではなく、画像形成装置１０と分離可能であり、画像形成装置と直接的に接続されて、または他の周辺機器を介して間接的にされてシステムとして機能するものであれば良い。
【００２７】
次に、上記画像形成システム１の制御ブロックについて図２に基づいて説明する。
画像形成システム１は、上記のように画像形成装置１０に周辺装置である第１給紙装置２０、第２給紙装置３０、中継ユニット４０、第１後処理装置５０、第２後処理装置６０が連接されて構成されている。
画像形成装置１０では、画像制御部１１に画像形成部１５、操作部１６が制御可能に接続されている。また、第１給紙装置２０、第２給紙装置３０、中継ユニット４０、第１後処理装置５０、第２後処理装置６０からなる各周辺装置は、画像形成装置１０の画像制御部１１に電気的に接続されており、画像制御部１１による各周辺装置の制御が可能になっている。また、操作部１６に含まれる表示部１６ａ、操作部１６に装着された傾斜センサ１８も、操作部ケーブル１７によって画像制御部１１に制御可能に接続されている。
【００２８】
図３は、画像形成装置１０における操作部１６の設置箇所を説明する図である。なお、この図では、一例として画像形成装置１０に操作部１６を設置するものとして図示しており、周辺装置における設置箇所も同様の構成であるためここでは省略している。
画像形成装置１０上には、操作部１６を自立可能に支持する設置部１６ｂをガイドし、嵌め込み固定するガイド機構１９を有している。ガイド機構１９は、設置部１６ｂを嵌入してガイドおよび固定するものであってもよく、ガイド機構１９側を設置部１６ｂに嵌入してガイドおよび固定するものであってもよく、本願発明としては、その構成が特定のものに限定されるものではない。上記ガイド機構１９は、画像形成装置１０の基準設置位置１９ａを画定するものであり、操作部１６は、周辺装置の図示しない基準設置位置にも同様に設置することができる。
【００２９】
次に、上記画像形成システム１において、操作部１６の設置による装置の設置調整の手順について図４のフローチャートに基づいて説明する。なお、以下における制御は画像制御部１１によって実行される。
設置処理の開始に伴って、設置の基準となる画像形成装置１０の基準設置位置１９ａに操作部１６が設置されると、該設置が画像制御部１１において認識される（ステップｓ１）。
ここで、操作部１６が何れの装置（の基準設置位置）に設置されたか否かは、操作者が操作部１６を操作して、設置した装置を特定する入力を行うことで認識できる。また、操作部１６と装置側とに設けた通信部、例えばＩＣタグなどによる通信によって設置した装置の認識を行うものであってもよい。また、操作部１６側で設置された装置を検知したり、設置された装置側で操作部１６の設置を検知したりすることで、設置の認識を行うようにしてもよい。なお、設置の基準となる基準装置は、通常は画像形成装置１０であるが、周辺装置の何れかを基準となるようにしても構わない。ここでは、基準装置の辺の前側を高さ基準位置とする。
【００３０】
操作部１６の設置が完了すると、傾斜センサ１８によって操作部１６が設置された装置の傾斜を検知する（ステップｓ２）。測定結果は、画像制御部１１に送信され、画像制御部１１のメモリなどの記憶部に記憶する。
【００３１】
次いで、操作者により、接続する周辺機器が画像形成装置１０に接続され、設置基準装置と隣接する辺の前側、すなわち高さ基準位置に合わせるように、接続する周辺装置の高さ調整が行われる。この際、操作部１６の表示部１６ａに、周辺機器の高さ調整手順を表示するようにしても良い。高さ調整は周辺装置に備えるキャスタによって行う。なお、高さ基準位置は、装置相互に設けた目印を合わせるなどして互いに合わせるようにしてもよい。
【００３２】
画像形成装置１０と周辺装置間の高さが揃えられた後、操作者は周辺装置の基準設置位置に操作部１６を設置する。操作部１６が周辺装置のガイド機構によって基準設置位置に設置されると、操作部１６が設置された周辺装置の認識がなされる。この認識は上述した方法と同様の方法で行う。
【００３３】
操作部１６の設置後、操作部１６に装着されている傾斜センサ１８によって操作部１６が設置されている周辺装置の傾斜を測定し、画像制御部１１で傾斜度合いを判定する（ステップｓ３）。傾斜度合いの判定は、設置情報に基づいて行われる。設置情報には、操作部１６が設置されている装置の識別が含まれており、傾斜度合いの判定において特定の装置の傾斜度合いが判定される。また、操作部１６が設置されている装置の基準設置位置が当該装置全体に対し傾斜をしている場合、この傾斜を考慮して装置の傾斜度合いが判定される。
各装置に対する基準設置位置の傾斜等の情報は、画像制御部１１の記憶部に記憶しておき、操作部１６が設置された装置の認識に伴って、装置に関連付けた傾斜等の情報を読み出して該装置の傾斜度合いの判定に用いる。
【００３４】
上記判定による傾斜度合いは操作部１６の表示部１６ａに表示することができる。また、傾斜度合いの判定結果の他に、調整内容として傾斜調整ガイドを表示部１６ａに表示する（ステップｓ４）。
図５は、傾斜調整ガイドを表示した調整ガイド画面１６０を示すものである。調整ガイド画面１６０では、画像形成装置１０に第１給紙部２０を接続する際の調整ガイドが示されている。すなわち、画像形成装置１０（図では本体と表示）の高さ基準位置と第１給紙装置２０（図ではＰＦＵと表示）の高さ基準位置とが合わされていることを前提にして、その他の辺の角部の調整量が表示されている。すなわち、第１給紙装置２０の左前の高さを維持したままで、右前を２．０ｍｍ下げ、右奥を１．０ｍｍ下げ、左奥を２．０ｍｍ上げる調整ガイドが示されている。また、調整ガイド画面１６０には、傾斜状態ｃｈｅｃｋ釦１６１、終了釦１６２が押釦可能に表示されている。画像制御部１１では、傾斜センサ１８で測定された傾斜量から、該傾斜量を０にするために各角部における高さ調整量を算出し、表示部１６ａに表示する制御を行っている。
上記調整は、操作者が、第１給紙装置２０に備える４隅のキャスタ２４の高さを調整することで行う。また、各周辺装置に傾斜を調整する駆動機構を設けて自動的に調整を行うように構成することも可能である。
【００３５】
キャスタ２４による高さ調整後、傾斜状態ｃｈｅｃｋ釦１６１を押釦すると、傾斜センサ１８では再度傾斜の検知を行い、画像制御部１１に測定結果を送信する。画像制御部１１は、測定結果を受けて、再度傾斜度合いの判定を行い、必要な調整量を算出して調整ガイド画面１６０を更新する。操作者は、調整ガイド画面１６０を確認して必要に応じて再度傾斜・高さ調整を行うことができる。なお、本願発明としては、傾斜状態ｃｈｅｃｋ釦１６１のようなトリガーを必要とすることなく、調整に伴って傾斜の測定がリアルタイムに行われて調整ガイド画面１６０が更新されるようにしてもよい。調整が必要ないと判断されれば、終了釦１６２を押釦することで、接続された装置の基準位置と傾斜状態を画像制御部１１に記憶し、当該装置の傾斜・高さ調整は終了する。
【００３６】
次いで、調整が必要な他の周辺装置があるか否かの判定を行い（ステップｓ５）、調整要の周辺装置がなければ調整処理を終了し（ステップｓ５、Ｎｏ）、調整要の接続装置があればステップｓ３に戻って、接続される装置の傾斜調整を繰り返す。なお、調整が必要な周辺装置があるか否かの判定は、操作者による操作部１６からの入力に基づいて行われる。
上記処理によって、操作部１６の設置位置を変更する簡単な作業で、画像形成装置１０に接続される周辺装置の傾斜状態を適正に調整することができる。
【００３７】
以上、本発明について上記実施形態に基づいて説明を行ったが、本発明は上記実施形態の説明に限定されるものではなく、本発明の範囲を逸脱しない限りは適宜の変更が可能である。
【符号の説明】
【００３８】
１  画像形成システム
１０  画像形成装置
２０  第１給紙装置
３０  第２給紙装置
４０  中継ユニット
５０  第１後処理装置
６０  第２後処理装置
【図１】
2012145724.tif 000003
【図２】
2012145724.tif 000004
【図３】
2012145724.tif 000005
【図４】
2012145724.tif 000006
【図５】
2012145724.tif 000007
【図６】
2012145724.tif 000008